(57)【要約】【課題】  耐火ツーバイフォー住宅の外断熱壁を壁起こしで施工する工法において、住宅の外側に構築していた足場を不用とし、工期の短縮を可能とするツーバイフォー住宅の外断熱工法を提供することを主な課題とする。【解決手段】  耐火ツーバイフォー住宅の、上枠、頭つなぎ、たて枠、下枠で構成した壁パネルの外側に壁合板とたて胴縁とＡＬＣパネルとサイディングボードを取り付け、このように構成した外壁下部に、概ねＺ型に形成した水切りの、壁面に当接する前プレート部の上部にＬ型のサイディング嵌込部を固定したサイディング嵌込用水切りを取り付けた隣地空きなし工法用水切りを提供する。【選択図】図１
2018053697.tif 000002
【特許請求の範囲】
【請求項１】
耐火ツーバイフォー住宅の外壁において、上枠、頭つなぎ、たて枠、下枠で構成した壁パネルの外側に壁合板とたて胴縁とＡＬＣパネルとサイディングボードを取り付け、このように構成した外壁下部に、概ねＺ型に形成し、壁面に当接する前プレート部の上部にＬ型のサイディング嵌込金具を固定したサイディング嵌込用水切りを取り付けたことを特徴とする隣地空きなし工法用水切り。
【請求項２】
サイディング嵌込用水切りは、平板状のガルバリウム鋼板を折り曲げ、壁の下枠に固定する取付部と壁合板の下部に位置する斜辺部とたて胴縁とＡＬＣパネルの下部に位置する第１の支え部とサイディングボードを押える垂直部とサイディングボードを支える第２の支え部と前プレート部と水はね防止部で構成し、第２の支え部の上面にサイディングボードの下部を嵌め込むためのＬ型のサイディング嵌込金具を固定したことを特徴とする請求項１に記載の隣地空きなし工法用水切り。
【請求項３】
サイディング嵌込用水切りは、平板状のガルバリウム鋼板を折り曲げ、たて胴縁の外面に固定する取付部とＡＬＣパネルの下部に位置する第１の支え部とサイディングボードを押える垂直部とサイディングボードを支える第２の支え部と前プレート部と水はね防止部で構成し、第２の支え部の上面にサイディングボードの下部を嵌め込むためのＬ型のサイディング嵌込金具を固定したことを特徴とする請求項１に記載の隣地空きなし工法用水切り。
【発明の詳細な説明】
【技術分野】
【０００１】  この発明は、隣家との隙間が狭く、足場を構築できない現場で、耐火ツーバイフォー住宅の外壁に断熱材（ＡＬＣパネル）を施工した外壁を、壁起こし工法で施工するための工法に関するものである。
【背景技術】
【０００２】  従来から、耐火ツーバイフォー住宅の建築工法の一つとして、外壁面に断熱材を施工する外断熱工法がある。外壁の外側に断熱材を施工するため、住宅の内部の蓄熱性が高まると共に、年間を通して室内の温度変動が少なくなり、冷暖房等のエネルギーの消費を抑制し、省エネに貢献している。【０００３】  さらに、外断熱工法は、内断熱工法で問題となっている内部結露の発生を防止し、カビの発生を抑制し、冷暖房の熱効率が高くなると云う利点がある。【０００４】  しかしながら、このような外断熱工法で耐火ツーバイフォー住宅を構築しようとした場合、これまでは大工さんが壁を壁起こし工法で施工した後、ＡＬＣパネル業者が、建築中の住宅の外側で人手により壁合板にＡＬＣパネルを取り付け、さらにＡＬＣパネルの外側にサイディング業者がサイディングボードを取り付け、さらに住宅の防水性を高めるためサイディングボードの目地にコーキング材を充填する必要があるため、住宅の外側に足場を設置しなければならず、都市部の建物が密着した狭小地では、土地の有効活用と云う観点から考えて問題点があった。【０００５】  このように、耐火ツーバイフォー住宅の外断熱工法においては、住宅の外側に足場構築用の空間を４０ｃｍ以上開けなければならず、東京都心のような土地の価格が高く、狭小地に耐火ツーバイフォー住宅を建築しようとした場合、土地の有効活用の妨げとなっていた。【０００６】  また、サイディングボードは主原料としてセメント質原料及び繊維質原料を用いて板状に成形した外装材のため、水や湿気を吸うと伸び、乾くと縮むという癖があり、長期にわたり湿乾伸縮を繰り返すとサイディングボードが伸縮したり一方向に反ってしまうといった問題点があった。
【発明の概要】
【発明が解決しようとする課題】
【０００７】  本発明は、このような、従来の欠点に鑑みて、上枠、頭つなぎ、たて枠、下枠で構成した壁パネルの外側に、壁合板とたて胴縁とＡＬＣパネルとサイディングボードを一体で取り付け、さらに壁の下部にサイディングボードを嵌め込んだ水切りを取り付けた外断熱壁を壁起こし工法で施工することにより、従来、住宅の外側に構築していた足場が不用となるため土地を最大限活用できると共に、工期の短縮を可能とする耐火ツーバイフォー住宅の外断熱工法を提供することを主な課題とする。
【課題を解決するための手段】
【０００８】  かかる課題を解決するため、請求項１に記載の発明は、耐火ツーバイフォー住宅の外壁において、上枠、頭つなぎ、たて枠、下枠で構成した壁パネルの外側に壁合板とたて胴縁とＡＬＣパネルとサイディングボードを取り付け、このように構成した外壁下部に、概ねＺ型に形成し、壁面に当接する前プレート部の上部にＬ型のサイディング嵌込金具を固定したサイディング嵌込用水切りを取り付けたことを特徴とする。【０００９】  請求項２に記載の発明は、請求項１に記載の構造に加え、サイディング嵌込用水切りは、平板状のガルバリウム鋼板を折り曲げ、壁の下枠に固定する取付部と壁合板の下部に位置する斜辺部とたて胴縁とＡＬＣパネルの下部に位置する第１の支え部とサイディングボードを押える垂直部とサイディングボードを支える第２の支え部と前プレート部と水はね防止部で構成し、第２の支え部の上面にサイディングボードの下部を嵌め込むためのＬ型のサイディング嵌込金具を固定したことを特徴とする。【００１０】  請求項３に記載の発明は、請求項１に記載の構造に加え、サイディング嵌込用水切りは、平板状のガルバリウム鋼板を折り曲げ、たて胴縁の外面に固定する取付部とＡＬＣパネルの下部に位置する第１の支え部とサイディングボードを押える垂直部とサイディングボードを支える第２の支え部と前プレート部と水はね防止部で構成し、第２の支え部の上面にサイディングボードの下部を嵌め込むためのＬ型のサイディング嵌込金具を固定したことを特徴とする。
【発明の効果】
【００１１】  請求項１に記載の発明によれば、耐火ツーバイフォー住宅の外壁において、上枠、頭つなぎ、たて枠、下枠で構成した壁パネルの外側に壁合板とたて胴縁とＡＬＣパネルとサイディングを取り付け、このように構成した外壁下部に、概ねＺ型に形成し、壁面に当接する前プレート部の上部にＬ型のサイディング嵌込金具を固定したサイディング嵌込用水切りを取り付けたことにより、サイディングボードの反りを防ぐと共に、隣家との隙間の狭い土地に、壁起こし工法で耐火ツーバイフォー住宅を建てる場合、上下階の壁面にサイディング嵌込用水切りを取り付けることにより、上下階のサイディングボードの目地にコーキング材を充填する必要がなくなるため、住宅の外側に足場を設置する必要がなくなり、土地を有効活用することが可能となった。【００１２】  請求項２に記載の発明によれば、サイディング嵌込用水切りは、平板状のガルバリウム鋼板を折り曲げ、壁の下枠に固定する取付部と壁合板の下部に位置する斜辺部とたて胴縁とＡＬＣパネルの下部に位置する第１の支え部とサイディングボードを押える垂直部とサイディングボードを支える第２の支え部と前プレート部と水はね防止部で構成し、第２の支え部の上面にサイディングの下部を嵌め込むためのＬ型のサイディング嵌込金具を固定したことにより、サイディングボードの反りを防止することが出来るようになり、階下と階上のサイディングボードが接する部分の外側にコーキング材を充填する必要がなくなり雨水が浸入するのを防ぐことが可能となった。【００１３】  請求項３に記載の発明によれば、サイディング嵌込用水切りは、平板状のガルバリウム鋼板を折り曲げ、たて胴縁の外面に固定する取付部とＡＬＣパネルの下部に位置する第１の支え部とサイディングボードを押える垂直部とサイディングボードを支える第２の支え部と前プレート部と水はね防止部で構成し、第２の支え部の上面にサイディングボードの下部を嵌め込むためのＬ型のサイディング嵌込金具を固定したことにより、壁合板とＡＬＣパネルとの間に取り付けた、たて胴縁による空気の通気層を活かすと共に、階下と階上のサイディングボードが接する部分の外側にコーキング材を充填する必要がなくなり雨水が浸入するのを防ぐことが可能となった。
【実施例１】
【００１４】  以下、この発明の実施の形態１について説明する。
［発明の実施の形態１］【００１５】  図１乃至図８には、この発明の実施の形態１を示す。【００１６】  図１は、本発明における、耐火ツーバイフォー住宅の基礎１７と、その基礎１７の上に取り付けた基礎パッキン１６と、基礎１７に埋め込まれたアンカーボルト（図示せず）で固定された土台１５と、その土台１５に取り付けられて１階の床部を形成する大引き１４と、大引き１４の上に釘で固定された合板１３（厚さ２８ｍｍ）と、その合板１３の外壁取付位置の上面に、上枠１０（ツーバイフォー材）、頭つなぎ９（ツーバイフォー材）と、たて枠１１（ツーバイフォー材）と、下枠１２（ツーバイフォー材）で構成した壁パネルを固定し、その壁パネルの外側に壁合板１９（厚さ９ｍｍ）と、たて胴縁２０（厚さ１５ｍｍ）と、ＡＬＣパネル２１（厚さ３５ｍｍ）と、サイディングボード２２（厚さ１６ｍｍ）を取り付け、このように構成した外壁の下枠１２の下部に、概ねＺ型に形成した第１のサイディング嵌込用水切り１８を取り付け、さらに壁パネルの上部に２枚の側根太４、８（ツーバイテン材）を縦に重ねて固定し、固定した側根太４、８に根太３０を施工し、さらに側根太４、８と根太３０の上部に２階床部を形成する合板５（厚さ１５ｍｍ）を貼り、その合板５の外壁取付位置の上面に上枠（省略する）と、頭つなぎ（省略する）と、たて枠２（ツーバイフォー材）と、下枠３（ツーバイフォー材）で構成された壁パネルを取り付け、その壁パネルの外側に壁合板２４（厚さ９ｍｍ）とたて胴縁２５（厚さ１５ｍｍ）とＡＬＣパネル２６（厚さ３５ｍｍ）とサイディングボード２７（厚さ１６ｍｍ）を取り付け、このように構成した外壁の下枠３の下部に、概ねＺ型に形成した第２のサイディング嵌込用水切り２３を取り付けた状態を示す。【００１７】  図２は、図１で説明した１階床の合板１３の上で、１階壁２８を壁起こし工法で構築するため、１階壁２８を組み立てた状態を示す。【００１８】  １階床の合板１３の上で１階壁２８を組み立てるためには、最初に、合板１３の上で、上枠１０（ツーバイフォー材）、頭つなぎ９（ツーバイフォー材）、たて枠１１（ツーバイフォー材）、下枠１２（ツーバイフォー材）で構成された壁パネルを組み立て、その壁パネルの外側に壁合板１９（厚さ９ｍｍ）を取り付け、さらにその外側に透湿防水シート（図示せず）を取り付け、さらにその外側にたて胴縁２０（厚さ１５ｍｍ）とＡＬＣパネル２１（厚さ３５ｍｍ）を取り付け、さらにその外側にサイディング取付金物（図示せず）を取り付け、そのサイディング取付金物にサイディングボード２２を取り付け、このように構成した１階の外壁の下枠１２の下部にビス３５で、概ねＺ形に形成した第１のサイディング嵌込用水切り１８を取り付けた状態を示す。【００１９】  図３は、図２で説明した壁パネルの下枠１２が１階床の合板１３の上に載るように、壁起こし工法で１階壁２８を起こした状態を示す。第１のサイディング嵌込用水切り１８と壁合板１９を土台１５の側面に密着させ、下枠１２を釘（図示せず）で合板１３、土台１５に固定させることにより１階壁２８が造られる。【００２０】  図４は、図３で説明した壁パネルの頭つなぎ９と壁合板１９に、１階天井６を構成する２枚の側根太４、８を縦に取り付け、その側根太４、８に根太３０を取り付け、根太３０と側根太４、８の上部に２階床部を形成する合板５（厚さ１５ｍｍ）を取り付けると共に、根太３０の下側に天上ボード７を取り付けた状態を示す。【００２１】  図５は、図４で説明した２階床の合板５の上で、２階壁２９を壁起こし工法で構築するため、２階壁２９を組み立てた状態を示す。【００２２】  ２階壁２９を２階床の合板５の上で組み立てるためには、最初に、合板５の上で、上枠（省略する）、頭つなぎ（省略する）、たて枠２（ツーバイフォー材）、下枠３（ツーバイフォー材）で構成された壁パネルを組み立て、その壁パネルの外側に壁合板２４（厚さ９ｍｍ）を取り付け、さらにその外側に透湿防水シート（図示せず）を取り付け、さらにその外側にたて胴縁２５（厚さ１５ｍｍ）とＡＬＣパネル２６（厚さ３５ｍｍ）を施工し、さらにその外側にサイディング取付金物（図示せず）を取り付け、そのサイディング取付金物にサイディングボード２７を取り付け、このように構成した２階壁２９の下枠３の下部にビス４０で、概ねＺ形に形成した第２のサイディング嵌込用水切り２３を取り付けた状態を示す。【００２３】  第２のサイディング嵌込用水切り２３は、図７ａで示すように、平板状で厚さ１ｍｍのガルバリウム鋼板を折り曲げ、下枠３の下面に第２のサイディング嵌込用水切り２３を固定するため、多数の固定用の穴５５（図８で示す）を開けた取付部４５（巾１５ｍｍ）と、壁合板２４の下部に位置するように６０度の角度で斜め下に折り曲げた斜辺部４６（巾１８ｍｍ）と、さらに、たて胴縁２５とＡＬＣパネル２６の下部に位置する第１支え部４７（巾５０ｍｍ）と、さらに第１支え部４７に対して直角に下方向に折り曲げられた垂直部４８（巾１４０ｍｍ）と、さらに直角に折り曲げてサイディングボード２７を支える第２支え部５４（巾２１ｍｍ）と、さらに下方向に直角に折り曲げられた前プレート部５２（巾１０ｍｍ）と、前プレート部５２に対して４５度の角度で斜め下方向に折り曲げられた水はね防止部５３（巾１５ｍｍ）で形成され、第２支え部５４の上面には、図７ａ、７ｂで示すようにサイディングボード２７の下部を嵌め込むため、厚さ１ｍｍのガルバリウム鋼板で成形したＬ型のサイディング嵌込金具５１（高さ３０ｍｍ、横２１ｍｍ、長さ５０ｍｍ）のスポット溶接部４９が第２支え部５４にスポット溶接により取り付けられる。このように構成した第２のサイディング嵌込用水切り２３は２階壁に限定することなく、いずれかの上下階の内の上階の壁の下部に取り付け壁起こし工法で壁を起こして外壁を構築することにより、住宅の防水性を高めるため上下階のサイディングボードの目地にコーキング材を充填する必要がなくなり、住宅の外側に足場を設置しなくても耐火ツーバイフォー住宅を建築することが可能となった。【００２４】  図８は、図６で説明した第２のサイディング嵌込用水切り２３をサイディングボード２７の下端に嵌め込んだ状態を立体図で示す。サイディング嵌込金具５１は図７ａで示すようにＬ字形で形成され立上り部５０（巾３０ｍｍ、長さ５０ｍｍ）とスポット溶接部４９（巾２１ｍｍ、長さ５０ｍｍ）で形成され、隣り合うサイディングボー���２７の目地部に立上り部５０の中心部を嵌め込むことにより、サイディングボードの反りを防止することが可能になった。
【実施例２】
【００２５】  以下、この発明の実施の形態２について説明する。
［発明の実施の形態２］【００２６】  図９乃至図１２には、この発明の実施の形態２を示す。上記発明の実施の形態１では、厚さ１ｍｍのガルバリウム鋼板で形成した第２のサイディング嵌込用水切り２３の取付部４５を下枠３の下面にビス４０で取り付け、斜辺部４６を取付部４５に対して６０度の角度で成形し、さらに、たて胴縁２５とＡＬＣパネル２６の下部に位置する第１支え部４７で形成したが、この発明の実施の形態２では、図１０で示すように、厚さ１ｍｍのガルバリウム鋼板で形成した第３のサイディング嵌込用水切り６４を壁下に取り付けるため、多数の穴９６（図１２で示す）を開けた取付部８６（巾１５ｍｍ）を、たて胴縁６１の側面下端に取り付け、さらに直角に折り曲げた第１支え部８８（巾３５ｍｍ）と、さらに直角に折り曲げてサイディングボード６３を支える第２支え部９５（巾２１ｍｍ）と、さらに下方向に直角に折り曲げた前プレート部９３（巾１０ｍｍ）と、前プレート部９３の下部を４５度に斜め下方向に折り曲げた水はね防止部９４（巾１５ｍｍ）で形成し、第２支え部９５の上面には、サイディングボード６３の下部を嵌め込み固定するため、Ｌ型のサイディング押え金具９２（縦３０ｍｍ、横２１ｍｍ、長さ５０ｍｍ）のスポット溶接部９０が第２支え部９５にスポット溶接で取り付けられる。このように形成することにより壁合板６０、７６とＡＬＣパネル６２、７８との間に取り付けた、たて胴縁６１、７７による空気の通気層に外気の通り道を確保することが出来るようになると共に、サイディングボードの内側に雨水が浸入するのを防ぐことが可能となった。その他の構造に関しては、この発明の実施の形態１と同様である。【００２７】  以上、実施の形態に基づいて、本発明に係る隣地空きなし工法用水切りについて詳細に説明してきたが、本発明は、以上の実施の形態に限定されるものではなく、発明の趣旨を逸脱しない範囲において各種の改変をなしても、本発明の技術的範囲に属するのはもちろんである。【００２８】  請求項２において、サイディング嵌込用水切りは、平板状のガルバリウム鋼板を折り曲げ、と記載したが、サイディング嵌込用水切りは平板状のステンレス鋼板を折り曲げて成形することも、もちろん可能である。
【図面の簡単な説明】
【００２９】
【図１】本発明の実施の形態１に係る、耐火ツーバイフォー住宅の１階と２階の壁と、その壁に取り付ける水切りを断面図で示す。
【図２】同実施の形態に係る、１階床上で１階ツーバイフォー住宅の壁部分を寝かして組み立てた状態を断面図で示す。
【図３】同実施の形態に係る、図２で示した１階ツーバイフォー住宅の壁部分を壁起こし工法で土台の上に起こした状態を断面図で示す。
【図４】同実施の形態に係る、図３で示した１階壁の上部に１階天井を施工した状態を断面図で示す。
【図５】同実施の形態に係る、図４で示した１階天井上部で２階ツーバイフォー住宅の壁部分を寝かして組み立てた状態を示す。
【図６】同実施の形態に係る、図５で示した２階ツーバイフォー住宅の壁部分を壁起こし工法で１階壁上に起こした状態を断面図で示す。
【図７】同実施の形態に係る、１階壁と２階壁の間に取り付ける水切りを断面図で示す。
【図８】同実施の形態に係る、図７で示した水切りを立体図で示す。
【図９】本発明の実施の形態２に係る、図４で示した１階天井上部で２階ツーバイフォー住宅の壁部部分を寝かして組み立てた状態を示す。
【図１０】同実施の形態に係る、図９で示した２階ツーバイフォー住宅の壁部分を壁起こし工法で１階壁上に起こした状態を断面図で示す。
【図１１】同実施の形態に係る、１階壁と２階壁の間に取り付ける水切りを断面図で示す。
【図１２】同実施の形態に係る、図１１で示した水切りを立体図で示す。
【符号の説明】
【００３０】１                  耐火ツーバイフォー住宅
２                  たて枠
３                  下枠
４                  側根太
５                  合板
６                  １階天井
７                  天井ボード
８                  側根太
９                  頭つなぎ
１０                上枠
１１                たて枠
１２                下枠
１３                合板
１４                大引き
１５                土台
１６                基礎パッキン
１７                基礎
１８                第１のサイディング嵌込用水切り
１９                壁合板
２０                たて胴縁
２１                ＡＬＣパネル
２２                サイディングボード
２３                第２のサイディング嵌込用水切り
２４                壁合板
２５                たて胴縁
２６                ＡＬＣパネル
２７                サイディングボード
２８                １階壁
２９                ２階壁
３０                根太
３５                ビス
４０                ビス
４５                取付部
４６                斜辺部
４７                第１支え部
４８                垂直部
４９                スポット溶接部
５０                立上り部
５１                サイディング嵌込金具
５２                前プレート部
５３                水はね防止部
５４                第２支え部
５５                穴
６０                壁合板
６１                たて胴縁
６２                ＡＬＣパネル
６３                サイディングボード
６４                第３のサイディング嵌込用水切り
６５                ビス
６６                下枠
６７                たて枠
６８                合板
６９                １階天井
７０                天井ボード
７１                側根太
７２                側根太
７３                頭つなぎ
７４                上枠
７５                たて枠
７６                壁合板
７７                たて胴縁
７８                ＡＬＣパネル
７９                サイディングボード
８０                ２階壁
８１                １階壁
８２                根太
８６                取付部
８８                第１支え部
８９                垂直部
９０                スポット溶接部
９１                立上り部
９２                サイディング押え金具
９３                前プレート部
９４                水はね防止部
９５                第２支え部
９６                穴
【図１】
2018053697.tif 000003
【図２】
2018053697.tif 000004
【図３】
2018053697.tif 000005
【図４】
2018053697.tif 000006
【図５】
2018053697.tif 000007
【図６】
2018053697.tif 000008
【図７】
2018053697.tif 000009
【図８】
2018053697.tif 000010
【図９】
2018053697.tif 000011
【図１０】
2018053697.tif 000012
【図１１】
2018053697.tif 000013
【図１２】
2018053697.tif 000014